(57)【要約】【課題】コンパクトで嵩張らないため携帯性が高いものでありながら保温性又は保冷性が高く、ファッション性が高いため流行に敏感な女性等にも受け入れられる首部又は頭部装着具を提供する。【解決手段】首部又は頭部装着具１を、生地を縫着して略管状でエンドレスに形成されるとともに、エンドレスにするための繋ぎ部をずらして縫着することによりねじられた形態を成す本体２、及び、生地を縫着して小袋状に形成され、本体２に取り付けられて内装されるとともに本体２のポケット開口２Ａから取り出し可能であり、保温材又は保冷材を収容可能なポケット３により構成した。【選択図】図２
0003180639.tif 000002
【実用新案登録請求の範囲】
【請求項１】
首、耳及び頭の何れかの周囲に装着して用いる首部又は頭部装着具であって、
生地を縫着して略管状でエンドレスに形成されるとともに、エンドレスにするための繋ぎ部をずらして縫着することによりねじられた形態を成す本体と、
生地を縫着して小袋状に形成され、前記本体に取り付けられて内装されるとともに前記本体のポケット開口から取り出し可能であり、保温材又は保冷材を収容可能なポケットと、
からなることを特徴とする首部又は頭部装着具。
【請求項２】
前記本体が、前記ポケット開口以外の開口を塞ぐように縫い合わせて形成されたものであり、かがり縫いの縫い目が視認されないように、前記縫い目を前記本体の内側に位置させてなる請求項１記載の首部又は頭部装着具。
【請求項３】
前記ポケットが、前記ポケット開口の傍らの前記本体の内側に取り付けられた舌片部、及び、この舌片部に連結された、保温材又は保冷材を収容可能なポケット部により構成される請求項１又は２記載の首部又は頭部装着具。
【請求項４】
前記本体及びポケットの生地が吸湿発熱繊維を編んで形成されたものである請求項１〜３の何れか１項に記載の首部又は頭部装着具。
【請求項５】
前記本体及びポケットの生地が吸水性及び保水性を持たせた繊維を編んで形成されたものである請求項１〜３の何れか１項に記載の首部又は頭部装着具。
【考案の詳細な説明】
【技術分野】
【０００１】
本考案は、首、耳及び頭の何れかの身体部位の周囲に装着して用いる首部又は頭部装着具に関わり、さらに詳しくは、前記身体部位の周囲に装着した状態で前記身体部位を暖める機能又は冷やす機能を有する装着具に関するものである。
【背景技術】
【０００２】
冬季等に温感に敏感な首筋を効果的に暖めて防寒効果を高めるために首の周囲に巻いた状態で用いられる首部装着具（ネックウォーマー）として、長尺状のマフラー等における首の後側に位置する部分に保温材（使い捨て懐炉）を収納可能なポケットを設けたものがある（例えば、特許文献１〜３参照。）。
また、スポーツ等における激しい動作を行う際に使用してもずれないように、前後左右に延びる垂れ布を襟の下部に取り付け、頭からスッポリと被って装着して人間の体に密着させた状態で使用するとともに、襟の後部内側に保温材（使い捨て懐炉）を収納可能なポケットを設けたものもある（例えば、特許文献４参照。）。
【先行技術文献】
【特許文献】
【０００３】
【特許文献１】特開平１０−１４０４１０号公報
【特許文献２】登録実用新案第３１５３６２６号公報
【特許文献３】登録実用新案第３１７８１４１号公報
【特許文献４】登録実用新案第３０９５２７２号公報
【考案の概要】
【考案が解決しようとする課題】
【０００４】
特許文献１〜４の首部装着具（ネックウォーマー）は、保温材を収納可能なポケットが首筋の後側にあるため、保温材の温熱により温感に敏感な首筋を効果的に暖めて防寒効果を高めるという一定の効果を奏する。
しかしながら、特許文献１〜４の首部装着具（ネックウォーマー）には以下のような問題点もあるため、改良の余地があるものである。
【０００５】
すなわち、特許文献１及び特許文献２の首部装着具（ネックウォーマー）であるマフラーは、一般的な長尺状のものであり、比較的熱が逃げやすい構造であるので、保温性を高めるためにマフラーを長くしたり幅を大きくすると、嵩張って携帯性が悪くなるため、例えば女性がハンドバッグ等に入れて携帯しにくくなる。
その上、単純な形態の一定の幅を持った長尺状のものであるので、ファッション性に乏しく、特に流行に敏感な女性等には受け入れられにくい。
その上さらに、特許文献１のマフラーは、長尺状の略中央付近内方に略矩形の布地を縫着してポケットを形成する構成であるため、ポケットの縫着部分が首筋に当たって違和感等が生じる場合がある。
【０００６】
また、特許文献３の首部装着具（ネックウォーマー）であるマフラーは、帯状の布帛からなる表生地と裏生地を重ね合わせ、帯状の両端をエンドレスループで繋げたものであり、プリーツを帯状の短手方向に形成するとともに、マフラーの長手方向の中心から左右に向かってそれぞれ約１５ｃｍの範囲内に表生地と裏生地の三辺を縫い合わせた袋体を形成しているので、比較的嵩張るものあることから携帯性が悪くなるため、例えば女性がハンドバッグ等に入れて携帯しにくいとともに、プリーツ加工等を行うための製造コストが増大する。
その上、袋体の上部が開口するとともに、袋体と長手方向で隣接する部分の上部及び下部は連通するように開口しているので、比較的熱が逃げやすく十分な保温性が得られない場合がある。
その上さらに、プリーツ加工が施されていることから比較的ファッション性が高められた形態ではあるが、一般的な形態に過ぎず面白みに欠けるきらいがある。
【０００７】
さらに、特許文献４の首部装着具（ネックウォーマー）は、人間の体に密着するよう立体的に形成された垂れ布を襟の下部に前後左右に延びるように取り付けるとともに、襟の後部内側に保温材を収納可能なポケットを設けた構成であるので、激しい動きを行ってもずれにくいものではあるが、様々な体型の人間の体に対して密着するよう垂れ布を立体的に形成するのが困難であるため、垂れ布に皺等が生じやすいとともに、首の後方で保温材が出っ張った状態で視認されること等から、見栄えが悪く、特に流行に敏感な女性等に受け入れられるものではない。
その上、垂れ布が人間の体に密着するよう立体的に形成されているので、比較的嵩張ることから携帯性が悪くなるため、例えば女性がハンドバッグ等に入れて携帯しにくい。
【０００８】
そこで本考案が前述の状況に鑑み、解決しようとするところは、コンパクトで嵩張らないため携帯性が高いものでありながら保温性又は保冷性が高く、ファッション性が高いため流行に敏感な女性等にも受け入れられる首部又は頭部装着具を提供する点にある。
【課題を解決するための手段】
【０００９】
本考案に係る首部又は頭部装着具は、前記課題解決のために、首、耳及び頭の何れかの周囲に装着して用いる首部又は頭部装着具であって、生地を縫着して略管状でエンドレスに形成されるとともに、エンドレスにするための繋ぎ部をずらして縫着することによりねじられた形態を成す本体と、生地を縫着して小袋状に形成され、前記本体に取り付けられて内装されるとともに前記本体のポケット開口から取り出し可能であり、保温材又は保冷材を収容可能なポケットとからなることを特徴とする。
【００１０】
このような構成によれば、本体に内装されるポケットに保温材又は保冷材を収容した状態で、首、耳及び頭の何れかの周囲に装着して使用することにより、保温材又は保冷材で身体の所要箇所を効果的に暖めること又は冷やすことができる。
その上、本体が略管状であるため、その内部に閉鎖性の高い空間があること、及び、本体がねじられた形態であるため、生地と生地の間に空気層が形成されることから、本体自体の断熱性（保温性又は保冷性）が高く、内装するポケット内に収容した保温材の温熱又は保冷材の冷気が逃げにくいため、保温効果又は保冷効果が高い状態を長時間にわたって維持することができる。
その上さらに、生地を縫着して略管状でエンドレスに形成されているので、コンパクトで嵩張らないことから携帯性が高いため、例えば女性がハンドバッグ等に入れて容易に携帯することができる。
その上、コンパクトであることから、インナーとしても使用することができ、マフラーやストール等との併用にも好適であるとともに、就寝時にも使用することができる。
その上さらに、本体がねじられた形態であるとともに、装着の仕方により前記形態も変化し、本体に形成される皺等の造形により変化のある個性的なデザインが得られるので、ファッション性が高いため、流行に敏感な女性等にも受け入れられやすく、プリーツ加工等が不要であるため製造コストが増大することもない。
【００１１】
ここで、前記本体が、前記ポケット開口以外の開口を塞ぐように縫い合わせて形成されたものであり、かがり縫いの縫い目が視認されないように、前記縫い目を前記本体の内側に位置させてなると好ましい。
このような構成によれば、ポケット開口以外の開口が塞がれているので、さらに保温性が高くなるとともに、かがり縫いの縫い目が視認されないので、美観を損ねることがない。
【００１２】
また、前記ポケットが、前記ポケット開口の傍らの前記本体の内側に取り付けられた舌片部、及び、この舌片部に連結された、保温材又は保冷材を収容可能なポケット部により構成されると好ましい。
このような構成によれば、保温材又は保冷材を収容可能なポケット部が舌片部を介して本体に取り付けられているので、比較的小さなポケット開口からポケット部を取り出す作業や前記ポケット開口へポケット部を挿入する作業を容易に行うことができるとともに、取り出したポケット部から保温材又は保冷材を取り出す作業やポケット部に保温材又は保冷材を装着する作業も容易に行うことができる。
【００１３】
さらに、前記本体及びポケットの生地が吸湿発熱繊維を編んで形成されたものであると好ましい。
このような構成によれば、保温用（防寒用）として用いられる場合において、本体及びポケットの生地が汗などの水分（湿気）を吸収して発熱する吸湿発熱繊維を編んで形成されているので、さらに保温性が高くなるとともに、よりコンパクトで軽量なものとすることができる。
【００１４】
さらにまた、前記本体及びポケットの生地が吸水性及び保水性を持たせた繊維を編んで形成されたものであると好ましい。
このような構成によれば、保冷用（防暑用）として用いられる場合において、本体及びポケットの生地が吸水性及び保水性を持たせた繊維を編んで形成されているので、浸け置きすることなくさっと水に濡らすことにより簡便かつ快適に使用することができ、気化熱が奪われるためさらに保冷性が高くなるとともに、よりコンパクトで軽量なものとすることができる。
【考案の効果】
【００１５】
以上のように、本考案に係る首部又は頭部装着具によれば、本体が略管状でエンドレスに形成され、本体がねじられた形態であるとともに、本体に内装されるポケットに保温材又は保冷材を収容することができるので、コンパクトで嵩張らないため携帯性が高いものでありながら保温性又は保冷性が高いこと、ファッション性が高いため流行に敏感な女性等にも受け入れられやすいこと等の顕著な効果を奏する。
【図面の簡単な説明】
【００１６】
【図１】本考案の実施の形態に係る首部又は頭部装着具を首部の周囲に装着した使用状態の一例を示す正面図である。
【図２】本考案の実施の形態に係る首部又は頭部装着具を前上方から見た斜視図である。
【図３】本体を形成するための矩形状の生地を示す斜視図である。
【図４】矩形状の生地の短辺同士を合わせて縫着した状態を示す斜視図である。
【図５】ポケットを縫着した状態を示す斜視図である。
【図６】繋ぎ部をずらして縫着する手順の一例を示す斜視図であり、繋ぎ部をずらして縫着する作業を行う直前の状態を示している。
【図７】同じく斜視図であり、一方の繋ぎ部のマーキング部に他方の繋ぎ部の端部を添わせるように折り重ねた状態を示している。
【図８】同じく斜視図であり、図７で折り重ねた部分に他方の繋ぎ部のマーキング部をくぐらせるようにして、一方の繋ぎ部の端部に他方の繋ぎ部のマーキングを添わせた状態を示している。
【図９】ポケット開口を残して繋ぎ部同士を縫着した状態を示す斜視図である。
【考案を実施するための形態】
【００１７】
次に本考案の実施の形態を添付図面に基づき詳細に説明するが、本考案は、添付図面に示された形態に限定されず、実用新案登録請求の範囲に記載の要件を満たす実施形態の全てを含むものである。
本考案の首部又は頭部装着具（以下において、単に「装着具」と言う。）は、使用者の首、耳及び頭の何れかの周囲に装着して用いられるものであるが、その一例として、以下の実施形態においては、使用者の首の周囲に装着して用いる場合について説明する。
【００１８】
図１の使用状態の正面図及び図２の斜視図に示すように、本考案の実施の形態に係る装着具１は、冬季等における保温効果（防寒効果）又は夏季等における保冷効果（防暑効果）を高めるために用いられるものであり、図１の使用状態では使用者の首の周囲に装着されて首の全周を被う本体部２と、本体部２に内装され、使用者の首の後方に位置する、保温材又は保冷材を収容可能なポケット３とからなる。
そして、本体部２は、詳細は後述するように生地を縫着して略管状でエンドレスに形成されるとともに、エンドレスにするための繋ぎ部をずらして縫着することによりねじられた形態を成している。
また、ポケット３も生地を縫着して小袋状に形成されており、本体部２に取り付けられ、図２に示す本体２のポケット開口２Ａから取り出し可能であるため、ポケット３を本体２から取り出した状態で、図示しない保温材又は保冷材をポケット３内に収容させたり、使用済みの保温材又は保冷材をポケット３から取り出して新しいものと交換することができる。
【００１９】
次に、本考案の実施の形態に係る装着具１における主に本体部２の製造方法の一例について説明する。
図３の斜視図に示すように、生地Ｃ１を切断して矩形状にし、一対の長辺の所定箇所に詳細は後述するマーキング部Ｍ１，Ｍ２，Ｍ３，Ｍ４を形成する。
ここで、本体２用の生地Ｃ１は、保温用（防寒用）として用いる場合には、例えば汗などの水分（湿気）を吸収して発熱する繊維である吸湿発熱繊維を編んで形成するのが好ましく、保冷用（防暑用）として用いる場合には、吸水性及び保水性を持たせた繊維を編んで形成するのが好ましいが、生地Ｃ１はこれらのような素材に限定されるものではない。
【００２０】
次に、図３中の矢印に示すように、一対の短辺同士を添わせるように折り重ねた状態にし、前記短辺同士をオーバーロックミシン等によりかがり縫いし、図４の斜視図に示すように縫着部Ｓ１を形成する。
この状態では、図３の矩形状の生地Ｃ１の一対の長辺がそれぞれループ状になっており、本体２をエンドレスにするための繋ぎ部Ａ，Ｂが、反対方向に位置している。
ここで、説明の便宜上、図４に示す状態で上側の生地を上布Ｕ、下側の生地を下布Ｌと言う。
【００２１】
図４に示すように、下布Ｌの繋ぎ部Ａの一端部Ａ１寄りに、ポケット３を縫着する際の位置決め用のマーキング部Ｍ１及びＭ２が所定位置に形成され、下布Ｌの繋ぎ部Ａ側には、本体２をエンドレスにするための繋ぎ部Ａ，Ｂをずらして縫着する際の位置決め用のマーキング部Ｍ３が、上布Ｕの繋ぎ部Ｂ側には、前記繋ぎ部Ａ，Ｂをずらして縫着する際の位置決め用のマーキング部Ｍ４が所定位置に形成される。
なお、マーキング部Ｍ１，Ｍ２，Ｍ３，Ｍ４は、例えば電熱コテにより焦げ目を付けることにより形成される。
ここで、図４において、繋ぎ部Ａの一端部Ａ１及びマーキング部Ｍ３の距離（繋ぎ部Ａの他端部Ａ２及びマーキング部Ｍ３の距離）と、繋ぎ部Ｂの一端部Ｂ１及びマーキング部Ｍ４の距離（繋ぎ部Ｂの他端部Ｂ２及びマーキング部Ｍ４の距離）とが等しくなるように、マークング部Ｍ３，Ｍ４が形成され、これらの位置を変えることにより、繋ぎ部Ａ，Ｂをずらして縫着する際のずれ量が変化する。
【００２２】
次に、図４のマーキング部Ｍ１，Ｍ２を利用してポケット３の位置決めを行った状態で、図５の斜視図に示すように、ポケット３を下布Ｌに縫着した後、図５中の矢印のようにポケット３を折り返して図６の斜視図に示す状態にする。
【００２３】
ポケット３は、その製造方法の詳細は省略するが、生地Ｃ２を切断して縫着されたものであり、図２のポケット開口２Ａの傍らに位置するように下布Ｌに縫着される舌片部３Ａ、及び、舌片部３Ａに連結された（舌片部３Ａに繋がる）ポケット部３Ｂにより構成される。
また、ポケット３は、ポケット部３Ｂの出し入れ口Ｆから保温材又は保冷材を出し入れすることができ、出し入れ口Ｆがポケット部３Ｂの中央部にあるとともに、出し入れ口Ｆからポケット部３Ｂの内部へ保温材又は保冷材を挿入する際に、出し入れ口Ｆからポケット部３Ｂの内方へ向かう部分が２枚重ねになっているため、保温材又は保冷材の抜け落ちを防止することができる。
ここで、ポケット３用の生地Ｃ２は、本体２用の生地Ｃ１と同様に、保温用として用いる場合には、例えば汗などの水分（湿気）を吸収して発熱する繊維である吸湿発熱繊維を編んで形成するのが好ましく、保冷用として用いる場合には、吸水性及び保水性を持たせた繊維を編んで形成するのが好ましいが、生地Ｃ２はこれらのような素材に限定されるものではない。
【００２４】
次に、図６中の矢印に示すように、繋ぎ部Ｂの一端部Ｂ１をマーキング部Ｍ３に添わせるように折り重ねて図７の斜視図に示す状態にする。
次に、図７中の矢印に示すように、図７で折り重ねた部分に繋ぎ部Ｂのマーキング部Ｍ４をくぐらせるようにして、繋ぎ部Ａの一端部Ａ１に繋ぎ部ＢのマーキングＭ４を添わせるように折り、繋ぎ部Ａの一端部Ａ１と繋ぎ部ＢのマーキングＭ４とを本縫いで留めた図８の状態にする。
なお、図７及び図８中に視認される縫着部Ｓ２は、本体２に対してポケット３の出し入れを繰り返した際における、本体２の生地端縁のほつれを防止するためのものであり、図３に示す矩形状の生地の状態でオーバーロックミシン等により所定位置に形成しておけばよい。
【００２５】
次に、ポケット３を出し入れするためのポケット開口２Ａを残して、それ以外の開口を塞ぐように、オーバーロックミシン等により繋ぎ部Ａ，Ｂをかがり縫いして繋ぐことにより、図９の斜視図に示すように縫着部Ｓ３が形成される。
次に、ポケット開口２Ａの傍らにポケット３が位置している（舌片部３Ａがポケット開口２Ａの傍らの本体２の内側に取り付けられている）ので、図９の状態からポケット開口２Ａに本体２を通すようにして本体２の全体をひっくり返すことにより、図９の裏面（内面）Ｉが本体２の内側になり、図２のように表面（外面）Ｏが視認される状態となり、この状態では、かがり縫いの縫い目（縫着部Ｓ１，Ｓ２，Ｓ３）は視認されない。
また、この状態では、図２において本体２からポケット３を取り出した状態となっている。
したがって、この状態で、ポケット３をポケット開口２Ａ内へ押し込んで本体２に内装することにより、装着具１が完成する（図１及び図２参照。）。
【００２６】
以上の製造方法の一例では、図３の矩形状の生地Ｃ１において、一対の短辺同士を添わせるように折り重ねて縫着する構成を示したが、要求仕様等によっては、一対の短辺同士を添わせるように折り重ねて縫着するようにしてもよく、あるいは正方形状の生地として、一対の対辺同士を添わせるように折り重ねて縫着するようにしてもよい。
また、以上における装着具１の製造方法は、飽くまでも一例であり、本考案の装着具１は、このような製造方法により製作されるものに限定されるものではなく、その本体２は、生地を縫着して略管状でエンドレスに形成されるとともに、エンドレスにするための繋ぎ部をずらして縫着することによりねじられた形態を成すものであればよいので、このような形態の本体２を製造することができる適宜方法を用いることができる。
さらに、本体２に対するポケット３の位置は、図２に示すような、使用者の首を保温又は保冷する際に使用者の首の後方に位置するように取り付ける構成に限定されるものではなく、本体２に対してポケット３を前後左右等の適宜位置に設けることができる。
さらにまた、ポケット３の個数は、１個に限定されるものでなく、複数のポケットを設けるようにしてもよい。その場合には、複数のポケット３，３，…の数に合わせて、本体２に複数のポケット開口２Ａ，２Ａ，…を形成する。
【００２７】
以上のような構成の装着具１の構成によれば、本体２に内装されるポケット３に保温材又は保冷材を収容した状態で、首、耳及び頭の何れかの周囲に装着して使用することにより、保温材又は保冷材で身体の所要箇所を効果的に暖めること又は冷やすことができる。
また、本体２が略管状であるため、その内部に閉鎖性の高い空間があること、及び、本体２がねじられた形態であるため、生地と生地の間に空気層が形成されることから、本体自体の断熱性（保温性又は保冷性）が高く、内装するポケット内に収容した保温材の温熱又は保冷材の冷気が逃げにくいため、保温効果又は保冷効果が高い状態を長時間にわたって維持することができる。
さらに、生地を縫着して略管状でエンドレスに形成されているので、コンパクトで嵩張らないことから携帯性が高いため、例えば女性がハンドバッグ等に入れて容易に携帯することができる。
さらにまた、コンパクトであることから、インナーとしても使用することができ、マフラーやストール等との併用にも好適であるとともに、就寝時にも使用することができる。
また、本体２がねじられた形態であるとともに、装着の仕方により前記形態も変化し、本体２に形成される皺等の造形により変化のある個性的なデザインが得られるので、ファッション性が高いため、流行に敏感な女性等にも受け入れられやすく、プリーツ加工等が不要であるため製造コストが増大することもない。
【００２８】
さらに、本体２が、ポケット開口２Ａ以外の開口を塞ぐように縫い合わせて形成されたものであり、かがり縫いの縫い目（縫着部Ｓ１，Ｓ２，Ｓ３）が視認されないように、前記縫い目を本体２の内側に位置させているので、ポケット開口２Ａ以外の開口が塞がれているため、さらに保温性が高くなるとともに、かがり縫いの縫い目が視認されないため、美観を損ねることがない。
さらにまた、保温材又は保冷材を収容可能なポケット部３Ｂが舌片部３Ａを介して本体２に取り付けられているので、比較的小さなポケット開口２Ａからポケット部３Ｂを取り出す作業やポケット開口２Ａへポケット部３Ｂを挿入する作業を容易に行うことができるとともに、取り出したポケット部３Ｂから保温材又は保冷材を取り出す作業やポケット部３Ｂに保温材又は保冷材を装着する作業も容易に行うことができる。
【００２９】
また、本体２及びポケット３の生地が吸湿発熱繊維を編んで形成されたものであると、保温用（防寒用）として用いられる場合において、汗などの水分（湿気）を吸収して発熱する吸湿発熱繊維を編んで形成された生地によって、装着具１の保温性がさらに高くなるとともに、装着具１がよりコンパクトで軽量なものとなる。
さらに、本体２及びポケット３の生地が吸水性及び保水性を持たせた繊維を編んで形成されたものであると、保冷用（防暑用）として用いられる場合において、浸け置きすることなくさっと水に濡らすことにより簡便かつ快適に使用することができ、気化熱が奪われるためさらに保冷性が高くなるとともに、よりコンパクトで軽量なものとすることができる。
【符号の説明】
【００３０】
Ａ，Ｂ  繋ぎ部
Ａ１，Ｂ１  一端部
Ａ２，Ｂ２  他端部
Ｃ１，Ｃ２  生地
Ｆ  出し入れ口
Ｉ  裏面（内面）
Ｏ  表面（外面）
Ｕ  上布
Ｌ  下布
Ｍ１，Ｍ２，Ｍ３，Ｍ４  マーキング部
Ｓ１，Ｓ２，Ｓ３  縫着部（かがり縫いの縫い目）
１  首部又は頭部装着具
２  本体
２Ａ  ポケット開口
３  ポケット
３Ａ  舌片部
３Ｂ  ポケット部
【図１】
0003180639.tif 000003
【図２】
0003180639.tif 000004
【図３】
0003180639.tif 000005
【図４】
0003180639.tif 000006
【図５】
0003180639.tif 000007
【図６】
0003180639.tif 000008
【図７】
0003180639.tif 000009
【図８】
0003180639.tif 000010
【図９】
0003180639.tif 000011